(57)【要約】【課題】本設の乗りかごのかご室内の傷付きを防ぐと共に、その乗りかごが出来上がらずとも工事中の人荷の運搬を可能にすること。【解決手段】工事使用エレベータの乗りかご１は、配設された昇降路内で駆動装置によって昇降する床板１０と当該床板１０の上に載置される側板３０Ａ〜３０Ｄと当該側板３０Ａ〜３０Ｄの上に載置される天井板２０とを備える。側板３０Ａ〜３０Ｃは、少なくとも２枚のパネル部材３１，３２と、少なくとも一部分の平面同士が互いに重なり合う２枚のパネル部材３１，３２の間に配置し、夫々のパネル部材３１，３２を互いの平面に沿う方向で且つ昇降方向に対して直交する方向にスライドさせるスライド機構３３と、を備える。【選択図】図２
2015051857.tif 000002
【特許請求の範囲】
【請求項１】
配設された昇降路内で駆動装置によって昇降する本設の床板と当該床板の上に載置される側板と当該側板の上に載置される天井板とを備え、
前記側板は、少なくとも２枚のパネル部材と、少なくとも一部分の平面同士が互いに重なり合う２枚の前記パネル部材の間に配置し、該夫々のパネル部材を互いの平面に沿う方向で且つ昇降方向に対して直交する方向にスライドさせるスライド機構と、を備えることを特徴とした工事使用エレベータの乗りかご。
【請求項２】
前記側板は、前記床板への締結部材による取り付け部と、前記天井板への締結部材による取り付け部と、前記パネル部材における前記床板への取り付け部側の端部と前記天井板への取り付け部側の端部とでかご室内側とかご室外側とを連通させる開口部と、該開口部を連通又は閉塞させる開閉蓋と、を備えることを特徴とした請求項１記載の工事使用エレベータの乗りかご。
【請求項３】
前記側板は、重なり合う２枚の前記パネル部材の内の一方に対して前記スライドの方向に複数個設けた保持穴又は保持溝と、前記パネル部材の内の他方に設け、前記保持穴又は保持溝への出し入れが可能な突出部と、を備えることを特徴とした請求項１又は２に記載の工事使用エレベータの乗りかご。
【請求項４】
配設された昇降路内で駆動装置によって昇降する床板と当該床板の上に載置される側板と当該側板の上に載置される天井板とを備え、
前記天井板は、互いの配置によって矩形を成す４枚のパネル部材と、少なくとも一部分の平面同士が互いに重なり合う２枚の前記パネル部材の間に配置し、該２枚のパネル部材を互いに左右方向へとスライドさせる左右スライド機構と、少なくとも一部分の平面同士が互いに重なり合う２枚の前記パネル部材の間に配置し、該２枚のパネル部材を互いに前後方向へとスライドさせる前後スライド機構と、を備えることを特徴とした工事使用エレベータの乗りかご。
【請求項５】
前記天井板は、かご室内側で折り畳みと引き起こしとが可能な固定部材を備え、該固定部材を介して前記側板に固定することを特徴とした請求項１から４の内の何れか１つに記載の工事使用エレベータの乗りかご。
【発明の詳細な説明】
【技術分野】
【０００１】
本発明の実施形態は、工事中の建物においての人荷の運搬に利用される工事使用エレベータの乗りかごに関する。
【背景技術】
【０００２】
従来、工事中の建物においては、人荷の運搬に本設のエレベータを使用することがある。これが為、本設のエレベータを人荷の運搬に使用するには、このエレベータの乗りかごが工事の早い段階から出来上がっていなければならない。一方、工事の早い段階から乗りかごを完成させることができたとしても、このエレベータで資材等を運搬する際には、乗りかごのかご室内に傷を付けてしまう可能性がある。従って、従来は、乗りかごを養生シート等で養生することによって、運搬時のかご室内の傷付き防止を図っている。また、従来は、例えば下記の特許文献１に開示されているように、建物の外部に仮設エレベータを配置することで、本設のエレベータが工事に関わる人荷の運搬に使用されないようにする場合もある。
【先行技術文献】
【特許文献】
【０００３】
【特許文献１】特開２００１−１７１９４９号公報
【発明の概要】
【発明が解決しようとする課題】
【０００４】
しかしながら、従来は、全ての工事において工事の早い段階から本設のエレベータの乗りかごが出来上がるとは限らず、また、全ての工事において建物の外部に仮設エレベータを設置できるとは限らない。更に、従来は、人荷の運搬に本設のエレベータを使用することができたとしても、衝撃の強度や種類によって養生シート等が破れてしまう可能性があり、かご室内の傷付き防止の観点からすると、改善の余地がある。
【０００５】
本発明が解決しようとする課題は、本設の乗りかごのかご室内の傷付きを防ぐと共に、その乗りかごが出来上がらずとも工事中の人荷の運搬を可能にする工事使用エレベータの乗りかごを提供することである。
【課題を解決するための手段】
【０００６】
工事使用エレベータの乗りかごは、配設された昇降路内で駆動装置によって昇降する本設の床板と当該床板の上に載置される側板と当該側板の上に載置される天井板とを備える。側板は、少なくとも２枚のパネル部材と、少なくとも一部分の平面同士が互いに重なり合う２枚のパネル部材の間に配置し、夫々のパネル部材を互いの平面に沿う方向で且つ昇降方向に対して直交する方向にスライドさせるスライド機構と、を備える。
【図面の簡単な説明】
【０００７】
【図１】図１は、実施形態１における工事使用エレベータの乗りかごの全体構成を前面側から見た斜視図である。
【図２】図２は、実施形態１における工事使用エレベータの乗りかごの全体構成を背面側から見た斜視図である。
【図３】図３は、実施形態１の側板を示す正面図である。
【図４】図４は、実施形態１の側板を示す上面図である。
【図５】図５は、実施形態２における工事使用エレベータの乗りかごの全体構成を前面側から見た斜視図である。
【図６】図６は、実施形態２の天井板を示す上面図である。
【図７】図７は、実施形態２の天井板を示す側面図である。
【図８】図８は、実施形態２における変形例の天井板を示す上面図である。
【図９】図９は、実施形態３における工事使用エレベータの乗りかごの全体構成を前面側から見た斜視図である。
【図１０】図１０は、実施形態３の側板を示す正面図である。
【図１１】図１１は、実施形態３の開閉蓋の床板側を示す断面図である。
【図１２】図１２は、実施形態３の開閉蓋の天井板側を示す断面図である。
【図１３】図１３は、実施形態３の開閉蓋の他の例を示す断面図である。
【図１４】図１４は、実施形態４における工事使用エレベータの乗りかごの天井板と側板との結合部分を示す図である。
【図１５】図１５は、実施形態４の天井板を示す斜視図である。
【図１６】図１６は、実施形態４の天井板を示す下面図である。
【図１７】図１７は、実施形態５の側板を示す正面図である。
【図１８】図１８は、図１７のＸ−Ｘ線で切った断面図である。
【発明を実施するための形態】
【０００８】
以下に、工事使用エレベータの乗りかごの実施形態を図面に基づいて詳細に説明する。
【０００９】
［実施形態１］
本実施形態の工事使用エレベータの乗りかごを図１から図４に基づいて説明する。図１及び図２において、符号１は本実施形態の乗りかごを示す。
【００１０】
乗りかご１は、工事中の建物内の工事使用エレベータ（図示略）における仮設の乗りかごを構成するものであり、昇降路内に配設され、駆動源としての電動機やシーブ等を備えた駆動装置（図示略）によって昇降路内を昇降する。この乗りかご１は、床板１０と天井板２０と側板３０Ａ〜３０Ｄとを備える。
【００１１】
床板１０には、本設の乗りかごの床板を用いる。ここで、本設の乗りかごの床板の大きさは、建物毎に同じ大きさのものもあれば、建物毎に違う大きさのものもある。従って、本実施形態の乗りかご１は、異なる大きさの床板にも臨機応変に対応させるべく、側板３０Ａ〜３０Ｃを大きさが変えられるように構成することで、工事終了後に別の工事使用エレベータへの移設を可能にする。一方、この乗りかご１においては、その床板１０の大きさに合わせた同等の大きさの天井板２０を用意する。
【００１２】
側板３０Ａは、乗りかご１の背面を成すものである。側板３０Ｂは、乗りかご１の右側面を成すものである。側板３０Ｃは、乗りかご１の左側面を成すものである。側板３０Ｄは、乗りかご１の前面を成すと共に、人の乗り降りや荷物の出し入れを可能にする開口部４０を成すものである。尚、ここで云う前面とは、ホール側のことを云う。また、ここで云う左右は、ホール側から乗りかご１を見た際の左右方向のことを云う。
【００１３】
側板３０Ａ〜３０Ｃは、少なくとも２枚のパネル部材を備える。ここでは、各図に示す様に、２枚のパネル部材３１，３２を備えたものとして例示する。この側板３０Ａ〜３０Ｃは、平面に沿う方向で且つ昇降方向に対して直交する方向に大きさを変化させる。これが為、その２枚のパネル部材３１，３２は、その直交方向で少なくとも一部分の平面同士が互いに重なり合うように配置する。夫々のパネル部材３１，３２は、その平面が互いに同じ大きさを持つものとして成形してもよく、その平面が互いに異なる大きさを持つものとして成形してもよい。但し、後者の場合には、昇降方向の長さが夫々のパネル部材３１，３２で同じ長さとなるように成形する。
【００１４】
更に、この側板３０Ａ〜３０Ｃには、その２枚のパネル部材３１，３２の平面の間に配置され、この夫々のパネル部材３１，３２を互いの平面に沿う方向で且つ昇降方向に対して直交する方向にスライドさせるスライド機構３３を設ける。そのスライド機構３３は、少なくとも側板３０Ａ〜３０Ｃの上部と下部に１つずつ配置する。例えば、この例示では、その直交方向に延在させた所謂ガイドレールをスライド機構３３として利用する。
【００１５】
スライド機構３３は、パネル部材３１の一方（乗りかご１のかご室内側）の平面に固定された第１ガイド部材３３ａと、その平面と対向するパネル部材３２の平面に固定された第２ガイド部材３３ｂと、を備える。その第１ガイド部材３３ａと第２ガイド部材３３ｂは、上記の直交方向に延在させたガイド部材であり、その直交方向へと互いにスライド可能な状態で係合されている。これが為、このスライド機構３３は、その直交方向へと夫々のパネル部材３１，３２をスライドさせることができると共に、夫々のパネル部材３１，３２の分離を防いでいる。
【００１６】
側板３０Ａ〜３０Ｃは、パネル部材３１，３２をスライドさせて大きさを決めた後、下部側を床板１０に固定すると共に、上部側に天井板２０を固定する。これが為、この側板３０Ａ〜３０Ｃには、図１及び図２に示す様に、パネル部材３１，３２の下部と上部とに各々固定部材３４Ａ，３４Ｂをボルト等の締結部材（図示略）で取り付ける。固定部材３４Ａは、側板３０Ａ〜３０Ｃの床板１０への取り付け部の役目を果たす。固定部材３４Ｂは、側板３０Ａ〜３０Ｃの天井板２０への取り付け部の役目を果たす。その固定部材３４Ａ，３４Ｂは、パネル部材３１，３２の平面に対して直交方向に延設した固定部を有している。その固定部は、乗りかご１の外側（かご室内とは反対のかご室外側）に設ける。この乗りかご１においては、下部側の固定部材３４Ａの固定部と床板１０とをボルト等の締結部材（図示略）で固定し、且つ、上部側の固定部材３４Ｂの固定部と天井板２０とをボルト等の締結部材（図示略）で固定する。尚、この固定部材３４Ａ，３４Ｂは、大きさを決めた側板３０Ａ〜３０Ｃのパネル部材３１，３２が再びスライドしないように保持する役割も果たしている。また、この固定部材３４Ａ，３４Ｂは、パネル部材３１，３２の内の少なくとも一方に固定部として一体成形したものであってもよい。
【００１７】
背面の側板３０Ａは、その左右方向の両端に、左右の側板３０Ｂ，３０Ｃとの締結に使う固定部３５Ａ，３５Ｂを備える。その固定部３５Ａ，３５Ｂは、パネル部材３１，３２の平面に直交する方向へと当該パネル部材３１，３２に各々立設する。この固定部３５Ａ，３５Ｂは、かご室外側に設ける。
【００１８】
一方、右側面の側板３０Ｂは、背面の側板３０Ａとの締結に使う固定部３６Ａを備えると共に、前面側の端部に側板３０Ｄとの締結に使う固定部３６Ｂを備える。固定部３６Ａは、その平面が側板３０Ａの固定部３５Ａの平面に重ね合わされる位置に設ける。ここで、パネル部材３２を延設した部位を固定部３６Ａとして利用する。固定部３６Ｂは、パネル部材３１の平面に直交する方向へと当該パネル部材３１に立設する。この固定部３６Ｂは、かご室外側に設け、その平面を側板３０Ｄの平面に重ね合わせる。
【００１９】
また、左側面の側板３０Ｃは、背面の側板３０Ａとの締結に使う固定部３７Ａを備えると共に、前面側の端部に側板３０Ｄとの締結に使う固定部３７Ｂを備える。固定部３７Ａは、その平面が側板３０Ａの固定部３５Ｂの平面に重ね合わされる位置に設ける。ここで、パネル部材３２を延設した部位を固定部３７Ａとして利用する。固定部３７Ｂは、パネル部材３１の平面に直交する方向へと当該パネル部材３１に立設する。この固定部３７Ｂは、かご室外側に設け、その平面を側板３０Ｄの平面に重ね合わせる。
【００２０】
側板３０Ｄは、乗りかご１を側方から見た際にコの字状を成す部材である。この乗りかご１においては、２枚の側板３０Ｄを用意し、夫々の側板３０Ｄを左右方向に間隔を空けて配置する。この乗りかご１においては、その夫々の側板３０Ｄの成す隙間が上述した開口部４０となる。側板３０Ｄは、下部側の固定部３８Ａを床板１０にボルト等の締結部材（図示略）で固定し、且つ、上部側の固定部３８Ｂを天井板２０にボルト等の締結部材（図示略）で固定する。その固定部３８Ａ，３８Ｂは、かご室外側に設けている。尚、この側板３０Ｄは、他の側板３０Ａ〜３０Ｃと同じ様に、少なくとも２枚のパネル部材とスライド機構とを設け、その大きさを変化させるように構成してもよい。
【００２１】
この様に、この乗りかご１は、側板３０Ａ〜３０Ｃの夫々のパネル部材３１，３２を上述したが如くスライド機構３３でスライドさせ、側板３０Ａ〜３０Ｃの大きさを変化させることができる。例えば、この側板３０Ａ〜３０Ｃは、本設の床板１０の大きさに合わせて、図３及び図４の上図に示す様に、その大きさを小さくしたり、図３及び図４の下図に示す様に、その大きさを大きくしたりすることができる。
【００２２】
この乗りかご１は、その組み立てに際して、先ず、本設の床板１０の大きさに合わせて側板３０Ａ〜３０Ｃの大きさを変化させた上で、この側板３０Ａ〜３０Ｃを床板１０の上に載置し、この側板３０Ａ〜３０Ｃにおける固定部材３４Ａの固定部と床板１０とを乗りかご１の外側から締結部材で固定する。尚、この例示では、固定部材３４Ａ，３４Ｂを介して側板３０Ａ〜３０Ｃを床板１０と天井板２０とに固定するので、この固定部材３４Ａ，３４Ｂを床板１０に載せる前にパネル部材３１，３２に取り付けておく。更に、その床板１０には、固定部３８Ａを介して側板３０Ｄも外側から締結部材で固定する。この乗りかご１では、全ての側板３０Ａ〜３０Ｄを床板１０に固定した後、その側板３０Ａ〜３０Ｄ同士を固定部３５Ａ，３５Ｂ，３６Ａ，３６Ｂ，３７Ａ，３７Ｂにおいてかご室外側から締結部材で固定する。
【００２３】
続いて、この乗りかご１においては、その側板３０Ａ〜３０Ｄの上に天井板２０を載置し、側板３０Ａ〜３０Ｃにおける固定部材３４Ｂの固定部と天井板２０とをかご室外側から締結部材で固定すると共に、側板３０Ｄの固定部３８Ｂと天井板２０とをかご室外側から締結部材で固定する。その天井板２０には、かご室内側から照明５０を締結部材で取り付ける。
【００２４】
この乗りかご１は、その解体に際して、先ず、照明５０をかご室内で天井板２０から取り外す。そして、この乗りかご１においては、その天井板２０と側板３０Ａ〜３０Ｄとを固定している締結部材をかご室外側から外し、その側板３０Ａ〜３０Ｄから天井板２０を取り外す。続いて、この乗りかご１においては、側板３０Ａ〜３０Ｄ同士を固定している締結部材をかご室外側から外し、この側板３０Ａ〜３０Ｄと床板１０とを固定している締結部材もかご室外側から外した後、この側板３０Ａ〜３０Ｄを床板１０から取り外す。側板３０Ａ〜３０Ｃは、例えば、その大きさを一番小さくして運搬する。
【００２５】
この乗りかご１は、工事終了後、この様にして解体され、次の工事現場で上記の様にして再び組み立てられる。その際、新たな工事現場では、そこの建物内における本設の床板１０の大きさに合わせて側板３０Ａ〜３０Ｃの大きさを変化させ、大きさの異なる仮設の乗りかご１を作り出すことができる。
【００２６】
以上示した様に、本実施形態の乗りかご１は、建物の外部に仮設エレベータを設置できなくても、本設の昇降路を利用して人荷を運搬することができる。また、この乗りかご１は、本設の乗りかごのかご室内の傷付きを防ぐことができ、且つ、その乗りかごが出来上がらずとも工事中の人荷の運搬を行うことができる。更に、この乗りかご１は、多くの部品を再利用して、別の工事現場に簡単に移設することができるので、設置に要する費用を低く抑えることもできる。
【００２７】
［実施形態２］
本実施形態の工事使用エレベータの乗りかごを図５から図８に基づいて説明する。図５において、符号２は本実施形態の乗りかごを示す。
【００２８】
この乗りかご２は、前述した実施形態１の乗りかご１において、天井板２０を各図に示す天井板１２０に置き換えたものである。
【００２９】
その天井板１２０は、図６及び図７に示す様に、互いの配置によって矩形を成す４枚の第１から第４のパネル部材１２１〜１２４と、少なくとも一部分の平面同士が互いに重なり合う２枚のパネル部材の間（第１パネル部材１２１と第２パネル部材１２２との間及び第３パネル部材１２３と第４パネル部材１２４との間）に配置し、その２枚のパネル部材を互いに左右方向へとスライドさせる左右スライド機構１２５と、少なくとも一部分の平面同士が互いに重なり合う２枚のパネル部材の間（第１パネル部材１２１と第３パネル部材１２３との間及び第２パネル部材１２２と第４パネル部材１２４との間）に配置し、その２枚のパネル部材を互いに前後方向へとスライドさせる前後スライド機構１２６と、を備える。
【００３０】
第１から第４のパネル部材１２１〜１２４は、互いに同等の形状と大きさの部材であり、Ｌ字に成形する。以下、この第１から第４のパネル部材１２１〜１２４を第１から第４のＬ字パネル部材１２１〜１２４と云う。この天井板１２０においては、第１Ｌ字パネル部材１２１の第１延伸部１２１ａと第２Ｌ字パネル部材１２２の第１延伸部１２２ａの平面同士を互いに重ね合わせると共に、第３Ｌ字パネル部材１２３の第１延伸部１２３ａと第４Ｌ字パネル部材１２４の第１延伸部１２４ａの平面同士を互いに重ね合わせて配置する。更に、この天井板１２０においては、第１Ｌ字パネル部材１２１の第２延伸部１２１ｂと第３Ｌ字パネル部材１２３の第２延伸部１２３ｂの平面同士を互いに重ね合わせると共に、第２Ｌ字パネル部材１２２の第２延伸部１２２ｂと第４Ｌ字パネル部材１２４の第２延伸部１２４ｂの平面同士を互いに重ね合わせて配置する。天井板１２０は、この第１から第４のＬ字パネル部材１２１〜１２４の配置によって矩形を成す。
【００３１】
左右スライド機構１２５は、第１Ｌ字パネル部材１２１の第１延伸部１２１ａと第２Ｌ字パネル部材１２２の第１延伸部１２２ａの平面の間に２つ配置する。この左右スライド機構１２５は、第１延伸部１２１ａのかご室内側の平面に固定された第１ガイド部材１２５ａと、その平面と対向する第１延伸部１２２ａの平面に固定された第２ガイド部材１２５ｂと、を備える。その第１ガイド部材１２５ａと第２ガイド部材１２５ｂは、左右方向に延在させたガイド部材であり、左右方向へと互いにスライド可能な状態で係合されている。これが為、この左右スライド機構１２５は、左右方向へと第１Ｌ字パネル部材１２１と第２Ｌ字パネル部材１２２とを互いにスライドさせることができると共に、第１Ｌ字パネル部材１２１と第２Ｌ字パネル部材１２２の分離を防いでいる。
【００３２】
更に、この左右スライド機構１２５は、第３Ｌ字パネル部材１２３の第１延伸部１２３ａと第４Ｌ字パネル部材１２４の第１延伸部１２４ａの平面の間にも２つ配置する。この左右スライド機構１２５は、第１延伸部１２４ａのかご室内側の平面に固定された第１ガイド部材１２５ａと、その平面と対向する第１延伸部１２３ａの平面に固定された第２ガイド部材１２５ｂと、を備える。その第１ガイド部材１２５ａと第２ガイド部材１２５ｂは、左右方向に延在させた状態で配置する。これが為、この左右スライド機構１２５は、左右方向へと第３Ｌ字パネル部材１２３と第４Ｌ字パネル部材１２４とを互いにスライドさせることができると共に、第３Ｌ字パネル部材１２３と第４Ｌ字パネル部材１２４の分離を防いでいる。
【００３３】
また、前後スライド機構１２６は、第１Ｌ字パネル部材１２１の第２延伸部１２１ｂと第３Ｌ字パネル部材１２３の第２延伸部１２３ｂの平面の間に２つ配置する。この前後スライド機構１２６は、第２延伸部１２１ｂのかご室内側の平面に固定された第１ガイド部材１２６ａと、その平面と対向する第２延伸部１２３ｂの平面に固定された第２ガイド部材１２６ｂと、を備える。その第１ガイド部材１２６ａと第２ガイド部材１２６ｂは、前後方向に延在させたガイド部材であり、前後方向へと互いにスライド可能な状態で係合されている。これが為、この前後スライド機構１２６は、前後方向へと第１Ｌ字パネル部材１２１と第３Ｌ字パネル部材１２３とを互いにスライドさせることができると共に、第１Ｌ字パネル部材１２１と第３Ｌ字パネル部材１２３の分離を防いでいる。
【００３４】
更に、この前後スライド機構１２６は、第２Ｌ字パネル部材１２２の第２延伸部１２２ｂと第４Ｌ字パネル部材１２４の第２延伸部１２４ｂの平面の間にも２つ配置する。この前後スライド機構１２６は、第２延伸部１２４ｂのかご室内側の平面に固定された第１ガイド部材１２６ａと、その平面と対向する第２延伸部１２２ｂの平面に固定された第２ガイド部材１２６ｂと、を備える。その第１ガイド部材１２６ａと第２ガイド部材１２６ｂは、前後方向に延在させた状態で配置する。これが為、この前後スライド機構１２６は、前後方向へと第２Ｌ字パネル部材１２２と第４Ｌ字パネル部材１２４とを互いにスライドさせることができると共に、第２Ｌ字パネル部材１２２と第４Ｌ字パネル部材１２４の分離を防いでいる。
【００３５】
従って、この天井板１２０は、矩形状態を保ったままで、左右方向への大きさの変更が可能であると共に、前後方向への大きさの変更も可能である。
【００３６】
本実施形態の乗りかご２を組み立てる際、乗りかご１と同じ様に床板１０に側板３０Ａ〜３０Ｄを取り付ける。天井板１２０は、その側板３０Ａ〜３０Ｄの上に載せる前に、その大きさを床板１０又は床板１０に取り付けた側板３０Ａ〜３０Ｄの上面の成す矩形の大きさに合わせるべく、左右方向と前後方向に第１から第４のＬ字パネル部材１２１〜１２４を動かす。そして、この乗りかご２においては、その天井板１２０を側板３０Ａ〜３０Ｄの上に載せ、乗りかご１と同じ様に締結部材で天井板１２０と側板３０Ａ〜３０Ｄとを固定する。
【００３７】
その天井板１２０には、かご室内側から照明５０が取り付けられる。第１から第４のＬ字パネル部材１２１〜１２４には、照明５０を固定する為の螺子部１２１ｃ，１２２ｃ，１２３ｃ，１２４ｃが各々設けられている（図８）。その螺子部１２１ｃ，１２２ｃ，１２３ｃ，１２４ｃは、雄螺子でも雌螺子でもよい。また、この螺子部１２１ｃ，１２２ｃ，１２３ｃ，１２４ｃは、天井板１２０の大きさを変化させても照明５０が取り付けられるように、第１から第４のＬ字パネル部材１２１〜１２４に複数箇所ずつ設ける。この螺子部１２１ｃ，１２２ｃ，１２３ｃ，１２４ｃは、例えば、天井板１２０を正方形に変化させたときに、その対角線上に間隔を空けて配置する。
【００３８】
この乗りかご２を解体する際には、乗りかご１と同じ様に照明５０と天井板１２０を取り外す。その天井板１２０は、その大きさを一番小さくして運搬する。以後の解体作業は、乗りかご１のときと同じである。
【００３９】
この乗りかご２は、工事終了後、この様にして解体され、次の工事現場で上記の様にして再び組み立てられる。その際、新たな工事現場では、そこの建物内における本設の床板１０の大きさに合わせて側板３０Ａ〜３０Ｃと天井板１２０の大きさを変化させ、大きさの異なる仮設の乗りかご２を作り出すことができる。
【００４０】
以上示した様に、本実施形態の乗りかご２は、本設の乗りかごのかご室内の傷付きを防ぐことができ、且つ、その乗りかごが出来上がらずとも工事中の人荷の運搬を行うことができる。更に、この乗りかご２は、天井板１２０まで含めた多くの部品を再利用して、別の工事現場に簡単に移設することができるので、設置に要する費用を低く抑えることもできる。
【００４１】
［実施形態３］
本実施形態の工事使用エレベータの乗りかごを図９から図１３に基づいて説明する。図９において、符号３は本実施形態の乗りかごを示す。
【００４２】
この乗りかご３は、前述した実施形態１又は２の乗りかご１，２において、側板３０Ａ〜３０Ｃを各図に示す側板２３０Ａ〜２３０Ｃに置き換えたものである。ここでは、実施形態２の乗りかご２を基にした乗りかご３を例に挙げる。
【００４３】
側板２３０Ａ〜２３０Ｃは、図１０に示す様に、パネル部材２３１，２３２と、側板３０Ａ〜３０Ｃと同じスライド機構３３と、を備える。この側板２３０Ａ〜２３０Ｃは、側板３０Ａ〜３０Ｃと同じ様に、スライド機構３３によってパネル部材２３１，２３２をスライドさせ、その大きさを変化させる。
【００４４】
パネル部材２３１は、側板３０Ａ〜３０Ｃのパネル部材３１に対して、床板１０側と天井板１２０側とに、各々かご室内とかご室外とを連通させる開口部２３１ａ，２３１ｂを形成したものである。その開口部２３１ａ，２３１ｂは、パネル部材２３１を床板１０側と天井板１２０側とに締結する際の締結部材Ｂ（図１１，１２）の近くに配置し、その締結作業等をかご室内側から実施させる為のものである。また、パネル部材２３２は、側板３０Ａ〜３０Ｃのパネル部材３２に対して、床板１０側と天井板１２０側とに、各々かご室内とかご室外とを連通させる開口部２３２ａ，２３２ｂを形成したものである。その開口部２３２ａ，２３２ｂは、パネル部材２３２を床板１０側と天井板１２０側とに締結する際の締結部材Ｂ（図１１，１２）の近くに配置し、その締結作業等をかご室内側から実施させる為のものである。
【００４５】
そのパネル部材２３１には、開口部２３１ａ，２３１ｂに開閉蓋２６１が設けられている。また、パネル部材２３２には、開口部２３２ａ，２３２ｂに開閉蓋２６２が設けられている。その開閉蓋２６１，２６２は、締結作業時に開くことで開口部２３１ａ，２３１ｂ，２３２ａ，２３２ｂを室内外で連通させ、締結作業後に閉じることで開口部２３１ａ，２３１ｂ，２３２ａ，２３２ｂを閉塞させる。
【００４６】
例えば、床板１０側の開閉蓋２６１，２６２は、上方へとスライドさせることで開き動作となり、下方へとスライドさせることで閉じ動作となるスライド式の蓋を利用することができる（図１１）。一方、天井板１２０側の開閉蓋２６１，２６２は、下方へとスライドさせることで開き動作となり、上方へとスライドさせることで閉じ動作となるスライド式の蓋を利用することができる（図１２）。
【００４７】
また、かご室内側のパネル部材２３２の開閉蓋２６２については、一端に蝶番を備え、手前側（かご室内側）に倒すことで開き動作となる可倒式の蓋を利用することができる（図１３）。ここでは、床板１０側の開閉蓋２６２を例に挙げている。その蝶番は、開閉蓋２６２が矩形であるならば、４つの端部の何れに設けてもよい。
【００４８】
以上示した様に、本実施形態の乗りかご３は、組み立てる際に、側板２３０Ａ〜２３０Ｃと床板１０及び天井板１２０とをかご室内側から締結部材Ｂで締結することができ、且つ、解体する際に、その側板２３０Ａ〜２３０Ｃと床板１０及び天井板１２０との間を締結している締結部材Ｂをかご室内側から取り外すことができる。従って、この乗りかご３は、実施形態１又は２の乗りかご１，２と同等の効果を得られるだけでなく、組み立て作業と解体作業が容易になる。
【００４９】
ここで、その開閉蓋２６１，２６２と開口部２３１ａ，２３１ｂ，２３２ａ，２３２ｂは、パネル部材２３１，２３２において互いに重なり合うことの無い部分に設けてもよい。この場合の開閉蓋２６１，２６２は、スライド式でもよく、可倒式でもよい。これに依っても、この乗りかご３は、同様の効果を得ることができる。
【００５０】
また、その開閉蓋２６１，２６２と開口部２３１ａ，２３１ｂ，２３２ａ，２３２ｂは、側板２３０Ａ〜２３０Ｃを締結する際に利用してもよい。これに依れば、この乗りかご３は、組み立て作業性と解体作業性が更に向上する。
【００５１】
［実施形態４］
本実施形態の工事使用エレベータの乗りかごを図１４から図１６に基づいて説明する。図１４において、符号４は本実施形態の乗りかごを示す。
【００５２】
この乗りかご４は、前述した実施形態１，２又は３の乗りかご１，２，３において、天井板２０，１２０の固定構造を以下の構造のものに置き換えたものである。ここでは、実施形態２の乗りかご２を基にした乗りかご４を例に挙げる。従って、この乗りかご４では、乗りかご２の天井板１２０を下記の天井板３２０に置き換えている。
【００５３】
天井板３２０は、図１４，図１５及び図１６に示す様に、天井板１２０に対して、組み立て時にかご室内側で折り畳みと引き起こしとが可能な固定部材３２７を加えたものである。その固定部材３２７は、天井板３２０の四隅に各々設ける。この例示では、四角柱の棒材を固定部材３２７として利用し、その端部を蝶番又は回転支持軸を介して第１から第４のパネル部材１２１〜１２４に１つずつ取り付ける。尚、この例示では天井板３２０の四隅に固定部材３２７を１つずつ設けたが、その固定部材３２７は、４つの側板３０Ａ〜３０Ｄに少なくとも１つずつ固定される配置であればよい。
【００５４】
この乗りかご４の組み立て時には、天井板３２０の大きさを決めた後、その天井板３２０を側板３０Ａ〜３０Ｄの上に載置する。その際、折り畳まれている４本の固定部材３２７は、天井板３２０を側板３０Ａ〜３０Ｄの上に載せる前又は載せた後に引き起こす。そして、この乗りかご４においては、かご室内側から夫々の固定部材３２７に設けてある貫通孔にボルト等の締結部材Ｂを挿入し、側板３０Ａ〜３０Ｄに設けている雌螺子部に螺合させることで、天井板３２０を側板３０Ａ〜３０Ｄに固定する。また、解体時には、かご室内側から締結部材Ｂを外し、天井板３２０を側板３０Ａ〜３０Ｄから取り外す。
【００５５】
以上示した様に、本実施形態の乗りかご４は、組み立て時又は解体時に、かご室内側で且つ実施形態１，２又は３の乗りかご１，２，３よりも下側で天井板３２０と側板３０Ａ〜３０Ｄとの間の締結部材Ｂの締結作業又は取り外し作業を行うことができる。従って、この乗りかご４は、実施形態１，２又は３の乗りかご１，２，３と同等の効果を得られるだけでなく、天井板３２０の組み立て作業と解体作業が容易になる。
【００５６】
［実施形態５］
本実施形態の工事使用エレベータの乗りかごを図１７及び図１８に基づいて説明する。
【００５７】
これまで説明してきた実施形態１〜４においては、大きさを決めた側板３０Ａ〜３０Ｃ（２３０Ａ〜２３０Ｃ）を固定部材３４Ａ，３４Ｂで保持させるものとして例示している。本実施形態は、その保持をより簡易な方法で実施できるよう側板３０Ａ〜３０Ｃ（２３０Ａ〜２３０Ｃ）を下記の側板４３０Ａ〜４３０Ｃに置き換えたものである。ここでは、側板３０Ａ〜３０Ｃを基にした側板４３０Ａ〜４３０Ｃを例に挙げる。
【００５８】
その側板４３０Ａ〜４３０Ｃは、各図に示す様に、パネル部材４３１，４３２と、側板３０Ａ〜３０Ｃと同じスライド機構３３と、を備える。この側板４３０Ａ〜４３０Ｃは、側板３０Ａ〜３０Ｃと同じ様に、スライド機構３３によってパネル部材４３１，４３２をスライドさせ、その大きさを変化させる。
【００５９】
また、この側板４３０Ａ〜４３０Ｃは、スライドさせたパネル部材４３１，４３２をその位置で保持する保持機構４３９を備える。その保持機構４３９は、パネル部材４３１，４３２の内の一方に設けた第１保持部４３９ａと、その内の他方に設けた第２保持部４３９ｂと、を備える。この例示では、パネル部材４３１に第１保持部４３９ａを設け、パネル部材４３２に第２保持部４３９ｂを設ける。パネル部材４３１は、その第１保持部４３９ａをパネル部材３１に設けたものである。パネル部材４３２は、その第２保持部４３９ｂをパネル部材３２に設けたものである。この保持機構４３９は、側板４３０Ａ〜４３０Ｃにおける床板１０側と天井板２０（１２０，３２０）側とに各々設ける。
【００６０】
第１保持部４３９ａは、保持穴又は保持溝である。また、第２保持部４３９ｂは、その保持穴又は保持溝への出し入れが可能な突出部である。ここでは、第１保持部４３９ａを保持溝として例示する。以下においては、第１保持部４３９ａを「保持溝４３９ａ」と云い、第２保持部４３９ｂを「突出部４３９ｂ」と云う。
【００６１】
保持溝４３９ａは、かご室内側とかご室外側とを連通させる貫通穴であり、パネル部材４３１，４３２のスライド方向に所定の間隔を空けて複数個形成する。
【００６２】
突出部４３９ｂは、パネル部材４３２に形成した溝部４３２ｃの中で出し入れ自在に配置される。その溝部４３２ｃと突出部４３９ｂとの間には、弾性部材４３９ｃが配設されている。その弾性部材４３９ｃは、その間で突出部４３９ｂをパネル部材４３１に向けて押し動かす弾発力を付与するものである。この突出部４３９ｂは、パネル部材４３１，４３２がスライド機構３３の第１ガイド部材３３ａと第２ガイド部材３３ｂを嵌め込むことで組まれたとき、弾性部材４３９ｃの弾発力によって、溝部４３２ｃの中に挿入された状態のままで、先端がパネル部材４３１における保持溝４３９ａの形成されていない平面に当接する。この突出部４３９ｂは、その当接状態からパネル部材４３１，４３２をスライドさせ、保持溝４３９ａの存在している位置に来ると、この保持溝４３９ａの中に入り込む。これにより、パネル部材４３１，４３２は、その位置で保持される。突出部４３９ｂは、保持状態からパネル部材４３１，４３２を更にスライドさせようとすると、先端が保持溝４３９ａの壁面によって当該保持溝４３９ａからの脱離方向に押し動かされるので、弾性部材４３９ｃの弾発力に抵抗して溝部４３２ｃの中に押し戻されながら保持溝４３９ａから抜け出す。従って、パネル部材４３１，４３２は、再びスライドする。尚、保持溝４３９ａの壁面形状と突出部４３９ｂの先端形状は、突出部４３９ｂが保持溝４３９ａの中に入っている状態でパネル部材４３１，４３２をスライドさせようとした際に、その突出部４３９ｂの先端が保持溝４３９ａの壁面によって当該保持溝４３９ａからの脱離方向に押し動かされるように形成する。
【００６３】
以上示した様に、本実施形態の側板４３０Ａ〜４３０Ｃは、スライドさせた後のパネル部材４３１，４３２同士の固定と当該パネル部材４３１，４３２の再度のスライドが容易なものとなっている。従って、本実施形態の乗りかごは、実施形態１，２，３又は４の乗りかご１，２，３，４と同等の効果を得られるだけでなく、側板４３０Ａ〜４３０Ｃの組み立て作業と解体作業が容易になる。
【００６４】
以上、本発明に関する実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態等は、発明の範囲や要旨に含まれると同様に、特許請求の範囲に記載された発明とその均等の範囲に含まれるものである。
【符号の説明】
【００６５】
１，２，３，４  乗りかご
１０  床板
２０  天井板
３０Ａ，３０Ｂ，３０Ｃ，３０Ｄ  側板
３１，３２  パネル部材
３３  スライド機構
３３ａ  第１ガイド部材
３３ｂ  第２ガイド部材
４０  開口部
５０  照明
１２０  天井板
１２１  第１Ｌ字パネル部材
１２２  第２Ｌ字パネル部材
１２３  第３Ｌ字パネル部材
１２４  第４Ｌ字パネル部材
１２１ｃ，１２２ｃ，１２３ｃ，１２４ｃ  螺子部
１２５  左右スライド機構
１２５ａ  第１ガイド部材
１２５ｂ  第２ガイド部材
１２６  前後スライド機構
１２６ａ  第１ガイド部材
１２６ｂ  第２ガイド部材
２３０Ａ，２３０Ｂ，２３０Ｃ  側板
２３１，２３２  パネル部材
２３１ａ，２３１ｂ，２３２ａ，２３２ｂ  開口部
２６１，２６２  開閉蓋
３２０  天井板
３２７  固定部材
４３０Ａ，４３０Ｂ，４３０Ｃ  側板
４３１，４３２  パネル部材
４３２ｃ  溝部
４３９  保持機構
４３９ａ  保持溝（第１保持部）
４３９ｂ  突出部（第２保持部）
４３９ｃ  弾性部材
Ｂ  締結部材
【図１】
2015051857.tif 000003
【図２】
2015051857.tif 000004
【図３】
2015051857.tif 000005
【図４】
2015051857.tif 000006
【図５】
2015051857.tif 000007
【図６】
2015051857.tif 000008
【図７】
2015051857.tif 000009
【図８】
2015051857.tif 000010
【図９】
2015051857.tif 000011
【図１０】
2015051857.tif 000012
【図１１】
2015051857.tif 000013
【図１２】
2015051857.tif 000014
【図１３】
2015051857.tif 000015
【図１４】
2015051857.tif 000016
【図１５】
2015051857.tif 000017
【図１６】
2015051857.tif 000018
【図１７】
2015051857.tif 000019
【図１８】
2015051857.tif 000020
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
配設された昇降路内で駆動装置によって昇降する床板と当該床板の上に載置される側板と当該側板の上に載置される天井板とを備え、
前記天井板は、互いの配置によって矩形を成す４枚のパネル部材と、少なくとも一部分の平面同士が互いに重なり合う２枚の前記パネル部材の間に配置し、該２枚のパネル部材を互いに左右方向へとスライドさせる左右スライド機構と、少なくとも一部分の平面同士が互いに重なり合う２枚の前記パネル部材の間に配置し、該２枚のパネル部材を互いに前後方向へとスライドさせる前後スライド機構と、を備えることを特徴とした工事使用エレベータの乗りかご。
【請求項２】
前記天井板は、かご室内側で折り畳みと引き起こしとが可能な固定部材を備え、該固定部材を介して前記側板に固定することを特徴とした請求項１記載の工事使用エレベータの乗りかご。
【手続補正２】
【補正対象書類名】明細書
【補正対象項目名】０００６
【補正方法】変更
【補正の内容】
【０００６】
工事使用エレベータの乗りかごは、配設された昇降路内で駆動装置によって昇降する床板と当該床板の上に載置される側板と当該側板の上に載置される天井板とを備える。天井板は、互いの配置によって矩形を成す４枚のパネル部材と、少なくとも一部分の平面同士が互いに重なり合う２枚のパネル部材の間に配置し、２枚のパネル部材を互いに左右方向へとスライドさせる左右スライド機構と、少なくとも一部分の平面同士が互いに重なり合う２枚のパネル部材の間に配置し、２枚のパネル部材を互いに前後方向へとスライドさせる前後スライド機構と、を備える。